(57)【要約】【課題】ダイレクトパワーオンによって起動した後、入力操作部からの操作を検出した場合に、暗証番号による認証を行う。【解決手段】本発明に係るプロジェクター１は、ＡＣ電源がオンになったことを検出して自動的にランプ点灯電源をオンにするダイレクトパワーオンの設定が可能であり、各部の制御を行う制御部１０と、設定操作を行う入力操作部２２と、設定条件および状態を記憶する記憶部１２と、映像を投写する映像投写部２０とを備え、制御部１０は、ダイレクトパワーオンが設定されているときに、入力映像の投写を行う前に記憶部１２に記憶された認証中フラグを参照して、該認証中フラグがオンの場合、もしくは、該映像の投写中に入力操作部２２からの操作が行われたときに、記憶部１２に記憶されたキー検出認証フラグを参照して、該キー検出認証フラグがオンの場合、認証画面を映像投写部２０から投写させる。【選択図】図２
2012128309.tif 000002
【特許請求の範囲】
【請求項１】
入力される映像信号に基づく映像を投写するプロジェクターであって、
ＡＣ電源がオンになったことを検出して自動的にランプ点灯電源をオンにするダイレクトパワーオンの設定が可能で、前記プロジェクター内各部の制御を行う制御部と、
前記プロジェクターの設定操作を行う入力操作部と、
前記プロジェクターの設定条件および状態を記憶する記憶部と、
映像を投写して表示する映像投写部と、を備え、
前記制御部は、前記ダイレクトパワーオンが設定されているときに、入力される映像信号に基づく映像の投写を行う前に前記記憶部に記憶された認証中フラグを参照して、該認証中フラグがオンの場合、もしくは、該映像の投写中に前記入力操作部からの操作が行われたときに、前記記憶部に記憶されたキー検出認証フラグを参照して、該キー検出認証フラグがオンの場合、前記プロジェクターの稼働用暗証番号の認証画面を前記映像投写部から投写させること
を特徴とするプロジェクター。
【請求項２】
前記制御部は、あらかじめ設定されて前記記憶部に記憶されている前記稼働用暗証番号と、前記入力操作部によって入力された前記暗証番号とを比較して、二つの番号が一致した場合に、前記認証中フラグおよび前記キー検出認証フラグを共にオフとして前記記憶部に記憶させ、前記映像投写部による前記稼働用暗証番号の認証画面の投写を停止させること
を特徴とする請求項１記載のプロジェクター。
【請求項３】
前記制御部は、あらかじめ設定されて前記記憶部に記憶されている前記稼働用暗証番号と、前記入力操作部によって入力された前記暗証番号とを比較して、二つの番号が一致しなかった場合に、前記認証中フラグをオンとして前記記憶部に記憶させ、前記プロジェクターの動作を終了させること
を特徴とする請求項１記載のプロジェクター。
【請求項４】
前記制御部は、前記ダイレクトパワーオンが設定されているときに、入力される映像信号に基づく映像の投写を行う前に前記記憶部に記憶された認証中フラグを参照して、該認証中フラグがオフの場合、前記キー検出認証フラグをオンとして前記記憶部に記憶させ、前記入力される映像信号に基づく映像を前記映像投写部から投写させること
を特徴とする請求項１記載のプロジェクター。
【請求項５】
ＡＣ電源がオンになったことを検出して自動的にランプ点灯電源をオンにするダイレクトパワーオンの設定が可能で、プロジェクター内各部の制御を行う制御部と、前記プロジェクターの設定操作を行う入力操作部と、前記プロジェクターの設定条件および状態を記憶する記憶部と、映像を投写して表示する映像投写部と、を備えて、入力される映像信号に基づく映像を投写するプロジェクターの制御方法であって、
（ａ）前記ダイレクトパワーオンが設定されているときに、入力される映像信号に基づく映像の投写を行う前に前記記憶部に記憶された認証中フラグを参照するステップと、
（ｂ）前記映像の投写中に前記入力操作部からの操作が行われたときに、前記記憶部に記憶されたキー検出認証フラグを参照するステップと、
（ｃ）前記認証中フラグがオンの場合、もしくは、前記キー検出認証フラグがオンの場合、前記プロジェクターの稼働用暗証番号の認証画面を前記映像投写部から投写するステップと、
を備えることを特徴とするプロジェクターの制御方法。
【請求項６】
前記ステップ（ｃ）の後に、
（ｄ）あらかじめ設定されて前記記憶部に記憶されている前記稼働用暗証番号と、前記入力操作部によって入力された前記暗証番号とを比較して、二つの番号が一致した場合に、前記認証中フラグおよび前記キー検出認証フラグを共にオフとして前記記憶部に記憶し、前記映像投写部による前記稼働用暗証番号の認証画面の投写を停止するステップ
を備えることを特徴とする請求項５記載のプロジェクターの制御方法。
【請求項７】
前記ステップ（ｃ）の後に、
（ｅ）あらかじめ設定されて前記記憶部に記憶されている前記稼働用暗証番号と、前記入力操作部によって入力された前記暗証番号とを比較して、二つの番号が一致しなかった場合に、前記認証中フラグをオンとして前記記憶部に記憶し、前記プロジェクターの動作を終了するステップ
を備えることを特徴とする請求項５記載のプロジェクターの制御方法。
【請求項８】
前記ステップ（ａ）の後に、
（ｆ）前記認証中フラグがオフの場合、前記キー検出認証フラグをオンとして前記記憶部に記憶し、前記入力される映像信号に基づく映像を前記映像投写部から投写するステップ
を備えることを特徴とする請求項５記載のプロジェクターの制御方法。
【発明の詳細な説明】
【技術分野】
【０００１】
本発明は、入力される映像信号に基づく映像を投写するプロジェクターおよび当該プロジェクターの制御方法に関する。
【背景技術】
【０００２】
近年、プロジェクターやモニター等の機器は盗難・不正使用防止のため、使用時に暗証番号を入力して認証を行うようになっている。
【０００３】
たとえば、使用状態が変化したことを検出して、認証を求めるプロジェクターとして、特許文献1に記載のプロジェクターが提案されている。
【先行技術文献】
【特許文献】
【０００４】
【特許文献１】特開２００６−３０８８２６号公報
【発明の概要】
【発明が解決しようとする課題】
【０００５】
しかし、正規の使用者がプロジェクター等を使用する度に認証を行うことは、操作として非常に面倒であるという課題があった。
【０００６】
また、プロジェクターの場合、天吊設置し、ＡＣ接続により電源が供給されると同時に電源が入るダイレクトパワーオン機能を備えたものがある。しかし、そのようなプロジェクターにおいて、起動の度に認証を行うのではダイレクトパワーオン機能の利便性が失われてしまうという課題があった。
【０００７】
また、特許文献１に記載のプロジェクターでは、使用状態の変化を検出する機構が必要となるため、製品コストが上昇してしまうという課題があった。
【０００８】
本発明は上記事情に鑑みてなされたものであり、ダイレクトパワーオンによって起動した場合や、入力映像の投写中に入力操作部からの操作を検出した場合に、暗証番号による認証を行うことが可能なプロジェクターおよびその制御方法を提供することを目的とする。
【課題を解決するための手段】
【０００９】
一実施形態として、以下に開示するような解決手段により、前記課題を解決する。
【００１０】
開示のプロジェクターは、入力される映像信号に基づく映像を投写するプロジェクターであって、ＡＣ電源がオンになったことを検出して自動的にランプ点灯電源をオンにするダイレクトパワーオンの設定が可能で、前記プロジェクター内各部の制御を行う制御部と、前記プロジェクターの設定操作を行う入力操作部と、前記プロジェクターの設定条件および状態を記憶する記憶部と、映像を投写して表示する映像投写部と、を備え、前記制御部は、前記ダイレクトパワーオンが設定されているときに、入力される映像信号に基づく映像の投写を行う前に前記記憶部に記憶された認証中フラグを参照して、該認証中フラグがオンの場合、もしくは、該映像の投写中に前記入力操作部からの操作が行われたときに、前記記憶部に記憶されたキー検出認証フラグを参照して、該キー検出認証フラグがオンの場合、前記プロジェクターの稼働用暗証番号の認証画面を前記映像投写部から投写させることを特徴とする。これによれば、ダイレクトパワーオンによって起動した場合や、入力映像の投写中に入力操作部からの操作を検出した場合に、暗証番号による認証を行うことが可能となる。したがって、盗難・不正使用防止効果を奏することができる。
【００１１】
また、前記制御部は、あらかじめ設定されて前記記憶部に記憶されている前記稼働用暗証番号と、前記入力操作部によって入力された前記暗証番号とを比較して、二つの番号が一致した場合に、前記認証中フラグおよび前記キー検出認証フラグを共にオフとして前記記憶部に記憶させ、前記映像投写部による前記稼働用暗証番号の認証画面の投写を停止させることを特徴とする。これによれば、暗証番号による認証が成立した場合に、認証画面の出力を停止して、通常の使用状態となる外部接続機器からの映像画面を出力することができる。また、ダイレクトパワーオン後、入力映像の投写中に一度認証が行われれば、電源がオフとされるまでは入力操作の度に認証を行う必要がなくなるため、煩雑な認証手続の解消が可能となる。
【００１２】
また、前記制御部は、あらかじめ設定されて前記記憶部に記憶されている前記稼働用暗証番号と、前記入力操作部によって入力された前記暗証番号とを比較して、二つの番号が一致しなかった場合に、前記認証中フラグをオンとして前記記憶部に記憶させ、前記プロジェクターの動作を終了させることを特徴とする。これによれば、暗証番号による認証が不成立となった場合に、プロジェクターの動作を終了させて、プロジェクターを使用できない状態とすることができる。また、認証中フラグをオンとして記憶させるため、その後も、認証が成立しない限り使用不能とすることが可能となる。
【００１３】
また、前記制御部は、前記ダイレクトパワーオンが設定されているときに、入力される映像信号に基づく映像の投写を行う前に前記記憶部に記憶された認証中フラグを参照して、該認証中フラグがオフの場合、前記キー検出認証フラグをオンとして前記記憶部に記憶させ、前記入力される映像信号に基づく映像を前記映像投写部から投写させることを特徴とする。これによれば、認証中フラグがオフの場合に、キー検出認証フラグをオンとしておくことによって、入力映像の投写中に入力操作部からの操作を検出した場合に、暗証番号による認証を行うことができる。また、ダイレクトパワーオンによる起動の度の認証を不要とすることで当該ダイレクトパワーオン機能の利便性を確保しつつ、入力映像の投写中に入力操作部からの操作を検出した場合に認証を行うことが可能となる。
【００１４】
開示のプロジェクターの制御方法は、ＡＣ電源がオンになったことを検出して自動的にランプ点灯電源をオンにするダイレクトパワーオンの設定が可能で、プロジェクター内各部の制御を行う制御部と、前記プロジェクターの設定操作を行う入力操作部と、前記プロジェクターの設定条件および状態を記憶する記憶部と、映像を投写して表示する映像投写部と、を備えて、入力される映像信号に基づく映像を投写するプロジェクターの制御方法であって、（ａ）前記ダイレクトパワーオンが設定されているときに、入力される映像信号に基づく映像の投写を行う前に前記記憶部に記憶された認証中フラグを参照するステップと、（ｂ）前記映像の投写中に前記入力操作部からの操作が行われたときに、前記記憶部に記憶されたキー検出認証フラグを参照するステップと、（ｃ）前記認証中フラグがオンの場合、もしくは、前記キー検出認証フラグがオンの場合、前記プロジェクターの稼働用暗証番号の認証画面を前記映像投写部から投写するステップと、を備えることを特徴とする。これによれば、ダイレクトパワーオンによって起動した場合や、入力映像の投写中に入力操作部からの操作を検出した場合に、暗証番号による認証を行うことが可能となる。したがって、盗難・不正使用防止効果を奏することができる。
【００１５】
また、前記ステップ（ｃ）の後に、（ｄ）あらかじめ設定されて前記記憶部に記憶されている前記稼働用暗証番号と、前記入力操作部によって入力された前記暗証番号とを比較して、二つの番号が一致した場合に、前記認証中フラグおよび前記キー検出認証フラグを共にオフとして前記記憶部に記憶し、前記映像投写部による前記稼働用暗証番号の認証画面の投写を停止するステップを備えることを特徴とする。これによれば、暗証番号による認証が成立した場合に、認証画面の出力を停止して、通常の使用状態となる外部接続機器からの映像画面を出力することができる。また、ダイレクトパワーオン後、入力映像の投写中に一度認証が行われれば、電源がオフとされるまでは入力操作の度に認証を行う必要がなくなるため、煩雑な認証手続の解消が可能となる。
【００１６】
また、前記ステップ（ｃ）の後に、（ｅ）あらかじめ設定されて前記記憶部に記憶されている前記稼働用暗証番号と、前記入力操作部によって入力された前記暗証番号とを比較して、二つの番号が一致しなかった場合に、前記認証中フラグをオンとして前記記憶部に記憶し、前記プロジェクターの動作を終了するステップを備えることを特徴とする。これによれば、暗証番号による認証が不成立となった場合に、プロジェクターの動作を終了させて、プロジェクターを使用できない状態とすることができる。また、認証中フラグをオンとして記憶させるため、その後も、認証が成立しない限り使用不能とすることが可能となる。
【００１７】
また、前記ステップ（ａ）の後に、（ｆ）前記認証中フラグがオフの場合、前記キー検出認証フラグをオンとして前記記憶部に記憶し、前記入力される映像信号に基づく映像を前記映像投写部から投写するステップを備えることを特徴とする。これによれば、認証中フラグがオフの場合に、キー検出認証フラグをオンとしておくことによって、入力映像の投写中に入力操作部からの操作を検出した場合に、暗証番号による認証を行うことができる。また、ダイレクトパワーオンによる起動の度の認証を不要とすることで当該ダイレクトパワーオン機能の利便性を確保しつつ、入力映像の投写中に入力操作部からの操作を検出した場合に認証を行うことが可能となる。
【図面の簡単な説明】
【００１８】
【図１】本発明の実施形態に係るプロジェクターの構成の例を示す概略図である。
【図２】本発明の実施形態に係るプロジェクターの構成の例を説明するためのブロック図である。
【図３】本発明の実施形態に係るプロジェクターの制御方法の例を説明するためのフローチャートである。
【図４】本発明の実施形態に係るプロジェクターによって投写される認証画面の例を示す概略図である。
【図５】本発明の実施形態に係るプロジェクターによって投写される警告画面の例を示す概略図である。
【発明を実施するための形態】
【００１９】
以下、本発明の実施形態に係るプロジェクター１について、図面を用いて詳細に説明する。なお、実施形態を説明するための全図において、同一の機能を有する部材には同一の符号を付し、その繰り返しの説明は省略する場合がある。
【００２０】
本実施形態に係るプロジェクター１は、外部接続機器から入力される映像信号に基づく映像（以下、「入力映像」という）を投写して、スクリーンや壁面等の投写面にこの入力映像を表示するプロジェクターである。本実施形態のプロジェクター１は、ＡＣ電源がオンになったことを検出して自動的にランプ点灯電源をオンにするダイレクトパワーオン設定が可能に構成されている。
【００２１】
図１は、本実施形態のプロジェクターを示す斜視図である。
図１に示すように、プロジェクター１は、装置本体が筐体２に収納された構成を有している。筐体２の前面２ａには、投写面に画像を投写する投写レンズ１３が露出しており、筐体２の上面２ｂには、プロジェクター１に対して各種指示を行うための入力操作部２２として本体キー２２Ｂが設けられている。また、プロジェクター１は、遠隔操作が可能な入力操作部２２としてリモコン２２Ａを備えており、筐体２の前面２ａには、リモコン２２Ａから送信される赤外線の操作信号を受信するためのリモコン受光部２４が設けられている。なお、筐体２の背面（不図示）には、複数の入力端子が備えられており、パーソナルコンピューターや各種映像再生装置等の外部接続機器（映像供給装置）から映像信号を入力することが可能となっている。
【００２２】
続いて、プロジェクター１の構成の例について、図２のブロック図を用いて説明する。
同図２に示すように、プロジェクター１は、制御部１０、記憶部１２、入力選択部１４、映像処理部１６、映像出力部１８、映像投写部２０、入力操作部２２（ここでは、リモコン２２Ａ、本体キー２２Ｂ）、リモコン受光部２４、キー入力処理部２６、電源部３０等で構成されている。
【００２３】
プロジェクター１に設けられた各構成は、同図２に示すように、ＡＣ電源（不図示）に接続された電源部３０から制御部１０を介して必要な電力が供給されると共に、当該制御部１０によって制御が行われる。当該各構成については、本実施形態に特徴的な構成を中心に説明を行う。なお、公知の構成については、図面等に構成の名称のみを記載して、詳細な説明を省略する場合がある。
【００２４】
制御部１０は、ＣＰＵ（Ｃｅｎｔｒａｌ  Ｐｒｏｃｅｓｓｉｎｇ  Ｕｎｉｔ）や、各種データ等の一時記憶に用いられるＲＡＭ（Ｒａｎｄｏｍ  Ａｃｃｅｓｓ  Ｍｅｍｏｒｙ）等を備え、記憶部１２に記憶されている制御プログラムに従って動作することによりプロジェクター１の動作を統括制御する。
【００２５】
記憶部１２は、マスクＲＯＭ（Ｒｅａｄ  Ｏｎｌｙ  Ｍｅｍｏｒｙ）や、フラッシュメモリ、ＦｅＲＡＭ（Ｆｅｒｒｏｅｌｅｃｔｒｉｃ  ＲＡＭ：強誘電体メモリ）等の不揮発性のメモリにより構成されている。記憶部１２には、プロジェクター１の設定条件および状態、より具体的にはプロジェクター１の動作を制御するための制御プログラムや、プロジェクター１の動作条件等を規定する各種設定データ等が記憶されている。
【００２６】
特に、本実施形態に係る記憶部１２には、認証を行う際に参照されるプロジェクター稼働用暗証番号が記憶されている。なお、この暗証番号は、例えば４桁の数字からなり、使用者によって任意の値に設定することが可能になっている。また、記憶部１２には、認証中フラグおよびキー検出認証フラグの状態（オン、もしくはオフ）が記憶されている。さらに、記憶部１２には、プロジェクター１の動作モード、すなわちダイレクトパワーオンの設定有無が記憶されている。
【００２７】
本実施形態に係るプロジェクター１においては、制御部１０が、あらかじめ設定され記憶部１２に記憶されているプロジェクター稼働用暗証番号と、使用者が入力操作部２２（リモコン２２Ａ、もしくは本体キー２２Ｂ）により入力した暗証番号とを比較して認証を行う。なお、上記暗証番号の入力、あるいはその他の操作入力を行う際に、リモコン２２Ａから入力を行う場合には、入力信号はリモコン受光部２４を介してキー入力処理部２６に送信されて処理される。一方、本体キー２２Ｂから入力を行う場合には、入力信号は直接、キー入力処理部２６に送信されて処理される。
【００２８】
映像出力部１８は、入力選択部１４より入力された、外部接続機器４の映像信号を出力するものである。本実施形態においては、図２に示すように、映像信号は、映像処理部１６に入力され処理された後、映像出力部１８へと出力される。なお、外部スクリーン（不図示）等への映像投写は映像投写部２０によって行われる。当該映像投写部２０には、光源（不図示）、投写レンズ１３（図１参照）等が含まれる。
【００２９】
ここで、外部接続機器（例えば、パーソナルコンピューター、ビデオ等）４から入力される映像信号は、入力選択部１４を経て映像処理部１６に入力され処理されるが、公知の構成を用いることができるため、詳細な説明は省略する。
【００３０】
電源部３０には、外部からＡＣ１００［Ｖ］等の商用電源が供給される。電源部３０は、当該商用電源（交流電源）を所定の電圧の直流電源に変換して、プロジェクター１の各部に電力を供給する。また、電源部３０は、制御部１０の指示に基づいて、画像の投写に必要な電力（動作電力）を各部に供給する状態（電源オンの状態）と、動作電力の供給を停止して、電源をオンにするための操作を待機する状態（スタンバイ状態）とを切り換えることができる。
【００３１】
続いて、プロジェクター１の制御方法を中心とする動作フローについて、図３のフローチャートを用いて説明する。
【００３２】
初めに、動作モードとしてダイレクトパワーオンの設定がなされている場合の動作フローから説明する。なお、ダイレクトパワーオンについては、事前に入力操作部２２の操作によって設定され、当該設定状態が記憶部１２に記憶されている。
先ず、図３に示すように、ステップＳ１１として、外部の商用電源がオンとなり、電源部３０にＡＣ電源が供給される。
【００３３】
次に、制御部１０は、ＡＣ電源から電源部３０へ電源が供給されたことを検出すると、記憶部１２に記憶されているプロジェクター１の動作モードを読み出すステップを実行する（ステップＳ１２）。
【００３４】
次に、制御部１０は、記憶部１２に記憶されているプロジェクター１の動作モードがダイレクトパワーオンに設定されているか否かを判断するステップを実行する（ステップＳ１３）。
【００３５】
前記ステップＳ１３における判断の結果、記憶部１２に記憶されているプロジェクター１の動作モードがダイレクトパワーオンに設定されている場合には、制御部１０は、自動的にランプ点灯電源をオンにするステップを実行する（ステップＳ１４）。
【００３６】
一方、記憶部１２に記憶されているプロジェクター１の動作モードがダイレクトパワーオンに設定されていない場合には、制御部１０は、プロジェクター１の動作を終了してスタンバイ状態に移行するステップを実行する（ステップＳ１５）。
【００３７】
ステップＳ１４に次いで、制御部１０は、記憶部１２に記憶されている「認証中フラグ」を参照して、当該認証中フラグがオンであるかオフであるかの判断を行うステップを実行する（ステップＳ１６）。
なお、一例として、認証中フラグは、プロジェクター１の動作モードがダイレクトパワーオンに設定された後の初期値として「オフ」に設定されている。
【００３８】
前記ステップＳ１６における判断の結果、認証中フラグがオフの場合には、制御部１０は、「キー検出認証フラグ」をオンとして記憶部１２に記憶させるステップを実行する（ステップＳ１７）。これにより、ダイレクトパワーオンによる起動の度の認証を不要とすることで当該ダイレクトパワーオン機能の利便性を確保しつつ、入力映像の投写中に入力操作部からの操作を検出した場合に認証を行うことが可能となる。
なお、一例として、キー検出認証フラグは、プロジェクター１の動作モードがダイレクトパワーオンに設定された後の初期値として「オフ」に設定されている。
【００３９】
ステップＳ１７に次いで、制御部１０は、外部接続機器４からの入力映像に基づく映像を映像投写部２０から投写するステップを実行する（ステップＳ１８）。
【００４０】
一方、前記ステップＳ１６における判断の結果、認証中フラグがオンの場合には、制御部１０は、映像出力部１８からプロジェクター１を通常の使用状態として稼働させるための暗証番号を入力させる認証画面（入力画面）の映像信号を出力させるように、当該映像出力部１８へ指令信号を出力する。これによって、当該稼働用暗証番号の認証画面（入力画面）を映像投写部２０から外部スクリーン（不図示）等へ投写するステップを実行する（ステップＳ２１）。当該認証画面（入力画面）の表示例を図４に示す。
このように、暗証番号による認証を行うことが可能となるため、盗難・不正使用の防止効果が奏される。なお、変形例として、暗証番号による認証に代えて、特定のキーの操作による認証とすることも考えられる。
【００４１】
ステップＳ２１に次いで、制御部１０は、あらかじめ設定されて記憶部１２に記憶されている稼働用暗証番号と、入力操作部２２によって入力された暗証番号とを比較するステップを実行する（ステップＳ２２）。
【００４２】
前記ステップＳ２２を実行して暗証番号を比較した結果、二つの番号が一致した場合に、制御部１０は、映像出力部１８から稼働用暗証番号の認証画面の映像信号を出力させる指令信号の出力を停止させて、当該稼働用暗証番号の認証画面（入力画面）の投写を停止させる。ここで、二つの番号とは、あらかじめ設定されて記憶部１２に記憶されている稼働用暗証番号、および入力操作部２２によって入力された暗証番号である。これによって、プロジェクター１は、通常の使用が可能な状態、すなわち、外部接続機器（例えば、パソコン、ビデオ等）４から入力される映像信号に基づく投写が行われる状態に移行するステップを実行する（ステップＳ２５）。
【００４３】
これと併せて、制御部１０は、認証中フラグをオフとして記憶部１２に記憶させるステップを実行すると共に（ステップＳ２３）、キー検出認証フラグをオフとして記憶部１２に記憶させるステップを実行する（ステップＳ２４）。これらによって、ダイレクトパワーオン後、入力映像の投写中に一度認証が行われれば、電源がオフとされるまでは入力操作の度に認証を行う必要がなくなるため、煩雑な認証手続が解消できる。
【００４４】
一方、前記ステップＳ２２を実行して暗証番号を比較した結果、二つの番号が一致しなかった場合に、制御部１０は、認証中フラグをオンとして記憶部１２に記憶させるステップを実行する（ステップＳ２６）。
【００４５】
これと併せて、制御部１０は、映像出力部１８から認証不成立を警告する画面の映像信号を出力させるように、当該映像出力部１８へ指令信号を出力する。これによって、当該警告画面を映像投写部２０から外部スクリーン（不図示）等へ投写するステップを実行する（ステップＳ２７）。当該警告画面の表示例を図５に示す。
【００４６】
ステップＳ２７に次いで、制御部１０は、プロジェクター１の動作を終了させて、スタンバイ状態へ移行するステップを実行する（ステップＳ２８）。これによって、プロジェクター１は、使用が不能な状態（通常の投写が行われない状態）となる。すなわち、当該作用によって、盗難防止効果および不正使用防止効果が奏されることとなる。その後に電源をオンとしても、ステップＳ２６により認証中フラグがオンとして記憶されているため、認証が成立しない限りプロジェクター１の使用を不能とすることができる。
【００４７】
続いて、ステップＳ２８によりスタンバイ状態に移行したプロジェクター１において電源をオンにした場合の動作フローについて説明する。
図３に示すように、ステップＳ３１として、入力操作部２２の電源スイッチをオンにすることで、電源部３０にＡＣ電源が供給されて、プロジェクター１が電源オンの状態に移行する。
【００４８】
次に、制御部１０は、ランプ点灯電源をオンにするステップを実行する（ステップＳ３２）。
【００４９】
次に、制御部１０は、ＡＣ電源から電源部３０へ電源が供給されたことを検出すると、記憶部１２に記憶されているプロジェクター１の動作モードを読み出して、当該動作モードがダイレクトパワーオンに設定されているか否かを判断するステップを実行する（ステップＳ３３）。
【００５０】
前記ステップＳ３３における判断の結果、記憶部１２に記憶されているプロジェクター１の動作モードがダイレクトパワーオンに設定されている場合には、制御部１０は、前述のステップＳ１６を実行する（ステップＳ１６）。以下のステップについては前述の通りであり説明を省略する。
【００５１】
一方、前記ステップＳ３３における判断の結果、記憶部１２に記憶されているプロジェクター１の動作モードがダイレクトパワーオンに設定されていない場合には、制御部１０は、外部接続機器４からの入力映像に基づく映像を映像投写部２０から投写するステップを実行する（ステップＳ３４）。
【００５２】
続いて、ステップＳ１８もしくはステップＳ３４により入力映像の投写状態に移行したプロジェクター１において入力操作部を操作した場合の動作フローについて説明する。
図３に示すように、ステップＳ４１として、制御部１０は、入力映像の投写中において、入力操作部２２における全部もしくは所定の一部のキーが操作された場合に、当該操作の検出を行う。
【００５３】
次に、制御部１０は、記憶部１２に記憶されている「キー検出認証フラグ」を参照して、当該認証中フラグがオンであるかオフであるかの判断を行うステップを実行する（ステップＳ４２）。
【００５４】
前記ステップＳ４２における判断の結果、キー検出認証フラグがオンの場合には、制御部１０は、前述のステップＳ２１を実行する（ステップＳ２１）。以下のステップについては前述の通りであり説明を省略する。
【００５５】
一方、前記ステップＳ４２における判断の結果、キー検出認証フラグがオフの場合には、制御部１０は、入力操作部２２において操作されたキーの処理を行うステップを実行する（ステップＳ４３）。
【００５６】
ステップＳ４３に次いで、制御部１０は、外部接続機器４からの入力映像に基づく映像を映像投写部２０から投写するステップを実行する（ステップＳ４４）。
【００５７】
以上説明した通り、開示のプロジェクター、プロジェクターの制御方法によれば従来技術と比較して顕著な効果が奏される。当該効果について代表的なものを以下に記載する。
【００５８】
ダイレクトパワーオンによって起動した場合や、入力映像の投写中に入力操作部からの操作を検出した場合に、暗証番号による認証を行うことが可能となるため、盗難・不正使用防止効果を奏することができる。その一方で、プロジェクターを使用する度に認証を行う必要がないため、煩雑な認証手続の解消が可能となる。
【００５９】
特に、ダイレクトパワーオンによる起動の度の認証を不要とすることで当該ダイレクトパワーオン機能の利便性を確保しつつ、入力映像の投写中に入力操作部からの操作を検出した場合に認証を行うことが可能となる。
【００６０】
また、特許文献１に記載のプロジェクターのような使用状態の変化を検出する機構が不要であり、製品コストの上昇を抑制することができる。
【００６１】
以上、本発明を実施形態に基づき具体的に説明したが、本発明は前記実施形態に限定されるものではなく、その要旨を逸脱しない範囲で種々変更可能であることはいうまでもない。
【符号の説明】
【００６２】
１  プロジェクター、２  筐体、４  外部接続機器、１０  制御部、１２  記憶部、１３  投写レンズ、１４  入力選択部、１６  映像処理部、１８  映像出力部、２０  映像投写部、２２  入力操作部、２４  リモコン受光部、２６  キー入力処理部、３０  電源部
【図１】
2012128309.tif 000003
【図２】
2012128309.tif 000004
【図３】
2012128309.tif 000005
【図４】
2012128309.tif 000006
【図５】
2012128309.tif 000007